(57)【要約】【課題】ＰＣ枕木をレールの延在方向に沿って好適に移動させることができるＰＣ枕木用移動器具及びＰＣ枕木の移動方法を実現する。【解決手段】ＰＣ枕木用移動器具１００は、レールＲの底部Ｂの上面に当接して転動する主ローラー２０と、レールＲの底部Ｂの端面に当接して転動するガイドローラー３０とを備えており、レールＲから吊り下げるように保持しているＰＣ枕木ＭをレールＲの延在方向に沿って好適に移動させることができる。特に、ＰＣ枕木用移動器具１００が備えている主ローラー２０とガイドローラー３０は、レールＲの腹部側面に当接して転動するものではないので、レールＲの腹部に継目板Ｔが配設されていても、その継目板ＴがレールＲに沿って移動するＰＣ枕木用移動器具１００の妨げにはならない。つまり、ＰＣ枕木用移動器具１００は、ＰＣ枕木ＭをレールＲの継目を通過させてレールＲの延在方向に移動させることができる。【選択図】図２
2019011656.tif 000002
【特許請求の範囲】
【請求項１】
鉄道軌道の整備を行う際に、ＰＣ枕木をレールから吊り下げた状態でレールの延在方向に移動させるためのＰＣ枕木用移動器具であって、
前記ＰＣ枕木に予め固設されているショルダのクリップ挿入穴と連通可能な位置に貫通孔が形成されているフレーム体と、
連通するように位置合わせされた前記クリップ挿入穴と前記貫通孔に挿通される棒状部材と、
前記レールの底部の上面に当接して転動する主ローラーと、
前記底部の上面と交差して接している前記底部の端面に当接して転動するガイドローラーと、
を備えたことを特徴とするＰＣ枕木用移動器具。
【請求項２】
前記主ローラーは、当該ＰＣ枕木用移動器具の移動方向に沿う前後の配置に少なくとも２つ設けられていることを特徴とする請求項１に記載のＰＣ枕木用移動器具。
【請求項３】
前記ＰＣ枕木に対する当該ＰＣ枕木用移動器具の姿勢を調整するための姿勢調整部材を備えたことを特徴とする請求項１又は２に記載のＰＣ枕木用移動器具。
【請求項４】
請求項１〜３のいずれか一項に記載のＰＣ枕木用移動器具を用いたＰＣ枕木の移動方法であって、
前記レールと前記ＰＣ枕木を締結しているクリップを前記ＰＣ枕木のショルダから外す工程と、
前記クリップが外されたショルダのクリップ挿入穴と前記貫通孔とを位置合わせし、連通している前記クリップ挿入穴と前記貫通孔に前記棒状部材を挿通して、前記ＰＣ枕木に前記ＰＣ枕木用移動器具を取り付ける工程と、
前記ＰＣ枕木用移動器具をレールの延在方向に沿って移動させることで、そのＰＣ枕木用移動器具によって前記レールから吊り下げられて保持されているＰＣ枕木をレールに沿って移動させる工程と、
を有することを特徴とするＰＣ枕木の移動方法。
【請求項５】
前記ＰＣ枕木用移動器具を２つ１組で使用し、その一対のＰＣ枕木用移動器具を、前記主ローラーと前記ガイドローラーが前記レールの底部に当接する向きで、対を成すレールの内側に取り付けて使用することを特徴とする請求項４に記載のＰＣ枕木の移動方法。 
【発明の詳細な説明】
【技術分野】
【０００１】
本発明は、鉄道軌道の整備を行う際にＰＣ枕木をレールの延在方向に沿って移動させるのに用いるＰＣ枕木用移動器具及びＰＣ枕木の移動方法に関する。
【背景技術】
【０００２】
鉄道軌道の整備の一つに、道床のバラストを古いものから新しいものへ交換する作業がある。
バラストの交換作業を行う際、古いバラストの撤去と新しいバラストの搬入をし易くするため、ＰＣ枕木を作業の妨げにならない箇所へ移動させる必要があるが、重量物であるＰＣ枕木を移動させるには多大な労力を要する。
このようなバラストの交換作業に要する労力を軽減するための器具として、ＰＣ枕木を容易に移動させることを可能にするＰＣ枕木用移動台車が知られている（例えば、特許文献１参照。）。
【０００３】
このＰＣ枕木用移動台車１は、図３に示すように、ＰＣ枕木Ｍに固設されているショルダＫにボルト５によって固定されるようになっており、左右のレールＲに対してそれぞれＰＣ枕木用移動台車１を取り付けて使用するようになっている。
具体的には、ＰＣ枕木用移動台車１は、レールＲの底部Ｂの上面に当接して転動する主ローラー２と、レールＲの腹部Ａの側面に当接して転動するガイドローラー３を備えており、ショルダＫと一体になっているＰＣ枕木ＭをレールＲから吊り下げた状態で、そのレールＲの延在方向に沿って移動可能にする機能を有している。
なお、ショルダＫは、ＰＣ枕木ＭにレールＲを締結するためのパンドロールクリップなどのバネ部材を取り付けるためのものであり、そのクリップ取付用のクリップ挿入穴Ｈを有しており、予めＰＣ枕木Ｍに固設されている。
【先行技術文献】
【特許文献】
【０００４】
【特許文献１】特開２０１２−３６５９８号公報
【発明の概要】
【発明が解決しようとする課題】
【０００５】
しかしながら、上記特許文献１のＰＣ枕木用移動台車１の場合、レールＲの継目においてレールＲの腹部Ａに継目板が配設されていると、その継目板にガイドローラー３が接触してしまい、継目板より先にＰＣ枕木用移動台車１が移動できなくなるので、このＰＣ枕木用移動台車１の移動範囲はレールＲの継目と継目の間に限られてしまうという問題があった。
【０００６】
本発明の目的は、ＰＣ枕木をレールの延在方向に沿って好適に移動させることができるＰＣ枕木用移動器具及びＰＣ枕木の移動方法を提供することである。
【課題を解決するための手段】
【０００７】
上記目的を達成するため、本出願に係る一の発明は、
鉄道軌道の整備を行う際に、ＰＣ枕木をレールから吊り下げた状態でレールの延在方向に移動させるためのＰＣ枕木用移動器具であって、
前記ＰＣ枕木に予め固設されているショルダのクリップ挿入穴と連通可能な位置に貫通孔が形成されているフレーム体と、
連通するように位置合わせされた前記クリップ挿入穴と前記貫通孔に挿通される棒状部材と、
前記レールの底部の上面に当接して転動する主ローラーと、
前記底部の上面と交差して接している前記底部の端面に当接して転動するガイドローラーと、
を備えるようにした。
【０００８】
かかる構成のＰＣ枕木用移動器具を、棒状部材を介してＰＣ枕木に固設されているショルダを連結してＰＣ枕木に取り付けるようにすれば、ＰＣ枕木用移動器具は、ＰＣ枕木をレールから吊り下げるように保持することができる。
そして、ＰＣ枕木用移動器具は、レールの底部の上面に当接して転動する主ローラーと、レールの底部の端面に当接して転動するガイドローラーとを備えているので、レールから吊り下げるように保持しているＰＣ枕木をレールの延在方向に沿って好適に移動させることができる。
【０００９】
特に、このＰＣ枕木用移動器具が備えている主ローラーとガイドローラーは、レールの腹部側面に当接して転動するものではないので、レールの腹部に継目板が配設されていても、その継目板がレールに沿って移動するＰＣ枕木用移動器具の妨げにはならない。
つまり、本発明に係るＰＣ枕木用移動器具は、レールから吊り下げるように保持しているＰＣ枕木をレールの継目を通過させてレールの延在方向に移動させることができる。
【００１０】
また、望ましくは、
前記主ローラーは、当該ＰＣ枕木用移動器具の移動方向に沿う前後の配置に少なくとも２つ設けられているようにする。
【００１１】
例えば、上記従来技術のＰＣ枕木用移動台車は、レールの底部上面に当接して転動する主ローラーが１つであるため、その主ローラーを中心にＰＣ枕木用移動台車が前後に揺動し易く、ＰＣ枕木用移動台車がレールに沿って移動する際、ＰＣ枕木が前後に揺れてしまうなどして、その移動に支障をきたしてしまうという不具合があった。
一方、本発明に係るＰＣ枕木用移動器具は、レールの底部の上面に当接して転動する主ローラーが、その移動方向に沿う前後の配置に少なくとも２つ設けられているので、ＰＣ枕木用移動器具はそれら主ローラーの軸心を結ぶ仮想線に沿うように、スムーズに移動することが可能になっており、上記不具合を解消している。
【００１２】
また、望ましくは、
前記ＰＣ枕木に対する当該ＰＣ枕木用移動器具の姿勢を調整するための姿勢調整部材を備えるようにする。
【００１３】
姿勢調整部材によって、ＰＣ枕木に対するＰＣ枕木用移動器具の姿勢を調整して、例えば、主ローラーがレールの底部の上面に好適に当接するとともに、ガイドローラーがレールの底部の端面に好適に当接するようにすれば、ＰＣ枕木用移動器具がレールの延在方向に沿って移動し易い姿勢にすることができる。
【００１４】
また、本出願に係る他の発明は、
請求項１〜３のいずれか一項に記載のＰＣ枕木用移動器具を用いたＰＣ枕木の移動方法であって、
前記レールと前記ＰＣ枕木を締結しているクリップを前記ＰＣ枕木のショルダから外す工程と、
前記クリップが外されたショルダのクリップ挿入穴と前記貫通孔とを位置合わせし、連通している前記クリップ挿入穴と前記貫通孔に前記棒状部材を挿通して、前記ＰＣ枕木に前記ＰＣ枕木用移動器具を取り付ける工程と、
前記ＰＣ枕木用移動器具をレールの延在方向に沿って移動させることで、そのＰＣ枕木用移動器具によって前記レールから吊り下げられて保持されているＰＣ枕木をレールに沿って移動させる工程と、
を有するようにした。
【００１５】
こうすることで、ＰＣ枕木をレールの延在方向に沿って好適に移動させることができる。
特に、ＰＣ枕木用移動器具が備えている主ローラーとガイドローラーは、レールの腹部側面に当接して転動するものではないので、レールの腹部に継目板が配設されていても、その継目板がレールに沿って移動するＰＣ枕木用移動器具の妨げにはならない。
つまり、ＰＣ枕木用移動器具によって、レールから吊り下げるように保持しているＰＣ枕木をレールの継目を通過させてレールの延在方向に移動させることができる。
【００１６】
また、望ましくは、
前記ＰＣ枕木用移動器具を２つ１組で使用し、その一対のＰＣ枕木用移動器具を、前記主ローラーと前記ガイドローラーが前記レールの底部に当接する向きで、対を成すレールの内側に取り付けて使用するようにする。
【００１７】
対を成すレールの外側には、軌道外の鉄道設備とレールとを繋ぐケーブルや金具などが敷設されていることがあり、そのケーブルや金具などがＰＣ枕木用移動器具の取り付けや移動を妨げる支障物になることがある。
そこで、２つ１組で使用する一対のＰＣ枕木用移動器具を、対を成すレールの内側に取り付けるようにすることで、そのＰＣ枕木用移動器具がレールの延在方向に好適に移動できるようにして、ＰＣ枕木を所望する位置まで移動させることを可能にした。
【発明の効果】
【００１８】
本発明によれば、ＰＣ枕木をレールの延在方向に沿って好適に移動させることができる。
【図面の簡単な説明】
【００１９】
【図１】本実施形態のＰＣ枕木用移動器具を示す上面図（ａ）と、正面図（ｂ）と、側面図（ｃ）である。
【図２】一対のＰＣ枕木用移動器具を使用する態様を示す上面図（ａ）と、正面図（ｂ）である。
【図３】従来技術のＰＣ枕木用移動台車を示す説明図である。
【発明を実施するための形態】
【００２０】
以下、図面を参照して、本発明に係るＰＣ枕木用移動器具の実施形態について詳細に説明する。但し、以下に述べる実施形態には、本発明を実施するために技術的に好ましい種々の限定が付されているが、本発明の範囲を以下の実施形態及び図示例に限定するものではない。
なお、本実施形態では、レールＲの延在方向を前後方向、対を成すレールＲと直交する方向を左右方向、前後方向と左右方向に直交する鉛直方向を上下方向とする。
【００２１】
ＰＣ枕木用移動器具１００は、鉄道軌道の整備を行う際に、ＰＣ枕木ＭをレールＲから吊り下げた状態でレールＲの延在方向に沿って移動させるのに用いる器具である。
本実施形態のＰＣ枕木用移動器具１００は、図１（ａ）（ｂ）（ｃ）、図２（ａ）（ｂ）に示すように、フレーム体１０と、フレーム体１０に軸着されている主ローラー２０及びガイドローラー３０と、フレーム体１０に配設されている調整ボルト４０と、ＰＣ枕木用移動器具１００をＰＣ枕木Ｍに取り付けるための棒状部材５０等を備えて構成されている。
【００２２】
フレーム体１０は、金属製の部材であり、剛性を有している。
フレーム体１０には、棒状部材５０が挿通される貫通孔１１が形成されている。
また、フレーム体１０には、主ローラー２０が軸着される支持板１２と、ガイドローラー３０が軸着される一対のブラケット１３が設けられている。
【００２３】
貫通孔１１は、ＰＣ枕木Ｍに予め固設されているショルダＫのクリップ挿入穴Ｈと連通可能な位置に形成されている。
そして、連通するように位置合わせされたショルダＫのクリップ挿入穴Ｈと貫通孔１１に棒状部材５０が挿通されるようになっている。
棒状部材５０は、金属製の部材であり、剛性を有している。
この棒状部材５０が連通しているショルダＫのクリップ挿入穴Ｈと貫通孔１１に挿通されることで、ＰＣ枕木用移動器具１００がショルダＫに連結され、ＰＣ枕木用移動器具１００がＰＣ枕木Ｍに取り付けられるようになっている。
【００２４】
主ローラー２０は、フレーム体１０の上面部に立設されている支持板１２に軸着されている。主ローラー２０の軸２１は、対を成すレールＲと交差する左右方向に延在する向きに配されている。
この主ローラー２０は、レールＲの底部Ｂの上面Ｂ１に当接して転動するローラー部材であり、レールＲの延在方向であってＰＣ枕木用移動器具１００の移動方向に沿う前後の配置に２つ設けられている。
【００２５】
ガイドローラー３０は、フレーム体１０から横方向に突き出している一対のブラケット１３の間に軸着されている。ガイドローラー３０の軸３１は、上下方向に延在する向きに配されている。
このガイドローラー３０は、レールＲの底部Ｂの上面Ｂ１と交差して接している底部Ｂの端面Ｂ２に当接して転動するローラー部材であり、レールＲの延在方向であってＰＣ枕木用移動器具１００の移動方向に沿う前後の配置に２つ設けられている。
【００２６】
調整ボルト４０は、フレーム体１０の上面部に上側から下側に向けて螺着されている姿勢調整部材であり、フレーム体１０の下側に突き出させる調整ボルト４０の突出量を調整することで、ＰＣ枕木Ｍに対するＰＣ枕木用移動器具１００の姿勢を調整することができる。
具体的には、調整ボルト４０の先端部４１をＰＣ枕木Ｍの上面に突き当てて、ＰＣ枕木Ｍに対するＰＣ枕木用移動器具１００の姿勢を調整することで、主ローラー２０がレールＲの底部Ｂの上面Ｂ１に好適に当接するとともに、ガイドローラー３０がレールＲの底部Ｂの端面Ｂ２に好適に当接するようにして、ＰＣ枕木用移動器具１００がレールＲの延在方向に沿って移動し易い姿勢にすることができる。
【００２７】
このような構成を有するＰＣ枕木用移動器具１００は、図２（ａ）（ｂ）に示すように、２つ１組で使用される。
特に、一対のＰＣ枕木用移動器具１００は、ＰＣ枕木Ｍに固設されている４つのショルダＫのうち、対を成すレールＲの間にある２つのショルダＫに連結され、主ローラー２０とガイドローラー３０がレールＲの底部Ｂに当接する向きで、対を成すレールＲの内側でＰＣ枕木Ｍ上に取り付けられるようになっている。
なお、対を成すレールＲの外側には、軌道外の鉄道設備とレールＲとを繋ぐケーブルや金具などが敷設されていることがあり、そのケーブルや金具などがＰＣ枕木用移動器具１００の取り付けや移動を妨げる支障物になることがあるので、本実施形態のＰＣ枕木用移動器具１００は、対を成すレールＲの内側に取り付けるようにした。
【００２８】
このように、ＰＣ枕木用移動器具１００をＰＣ枕木Ｍに固設されているショルダＫを連結して、ＰＣ枕木ＭにＰＣ枕木用移動器具１００を取り付けるようにすれば、図２（ｂ）に示すように、ＰＣ枕木用移動器具１００は、ＰＣ枕木ＭをレールＲから吊り下げるように保持することができる。
そして、ＰＣ枕木用移動器具１００は、レールＲの底部Ｂの上面Ｂ１に当接して転動する主ローラー２０と、底部Ｂの端面Ｂ２に当接して転動するガイドローラー３０とを備えているので、レールＲから吊り下げるように保持しているＰＣ枕木ＭをレールＲの延在方向に沿って好適に移動させることができる。
【００２９】
特に、本実施形態のＰＣ枕木用移動器具１００が備えている主ローラー２０とガイドローラー３０は、レールＲの腹部側面に当接して転動するものではないので、図２（ｂ）に示すように、レールＲの腹部に継目板Ｔが配設されていても、その継目板ＴがレールＲに沿って移動するＰＣ枕木用移動器具１００の妨げにはならない。
つまり、本実施形態のＰＣ枕木用移動器具１００は、レールＲから吊り下げるように保持しているＰＣ枕木ＭをレールＲの継目を通過させてレールＲの延在方向に移動させることができる。
【００３０】
また、本実施形態のＰＣ枕木用移動器具１００には、レールＲの底部Ｂの上面Ｂ１に当接して転動する主ローラー２０が、その移動方向に沿う前後の配置に２つ設けられているので、ＰＣ枕木用移動器具１００は２つの主ローラー２０の軸心を結ぶ仮想線に沿うように、スムーズに移動することが可能になっている。
これに対し、図３に示した従来技術のＰＣ枕木用移動台車１は、レールＲの底部上面に当接して転動する主ローラー２が１つであるため、その主ローラー２を中心にＰＣ枕木用移動台車１が前後に揺動し易くなっており、ＰＣ枕木用移動台車１がレールＲに沿って移動する際、ＰＣ枕木Ｍが前後に揺れてしまうなどして、その移動に支障をきたしてしまうことがあった。
本実施形態のＰＣ枕木用移動器具１００は、主ローラー２０を前後に２つ配設したことで、その問題を解消した。
【００３１】
そして、鉄道軌道の整備として、バラストの交換作業を行う場合、まず、バラストを交換する範囲にあるＰＣ枕木ＭのショルダＫからパンドロールクリップを外す。
次いで、クリップが外されたショルダＫのクリップ挿入穴Ｈとフレーム体１０の貫通孔１１とを位置合わせし、連通しているクリップ挿入穴Ｈと貫通孔１１に棒状部材５０を挿通して、ＰＣ枕木Ｍに一対のＰＣ枕木用移動器具１００を取り付ける。この後、ＰＣ枕木Ｍの周囲のバラストの一部をＰＣ枕木Ｍの移動範囲から除去する。
次いで、ＰＣ枕木用移動器具１００によってレールＲから吊り下げられて保持されているＰＣ枕木ＭをレールＲの延在方向に沿って作業の妨げにならない箇所まで移動させる。
こうして、バラストを交換する範囲にある複数のＰＣ枕木Ｍを一箇所に集めた後、古いバラストを撤去し、新しいバラストを搬入する。
次いで、移動させたＰＣ枕木ＭをＰＣ枕木用移動器具１００によって元の位置まで戻し、ＰＣ枕木ＭからＰＣ枕木用移動器具１００を外す。そのＰＣ枕木ＭのショルダＫにパンドロールクリップを嵌めて、ＰＣ枕木ＭとレールＲを締結することで、バラスト交換の軌道整備が終了する。
【００３２】
以上のように、本実施形態のＰＣ枕木用移動器具１００であれば、ＰＣ枕木ＭをレールＲの延在方向に沿って好適に移動させることができ、バラストの交換作業に要する労力を軽減することができる。
【００３３】
なお、本発明の適用は上述した実施形態に限定されることなく、本発明の趣旨を逸脱しない範囲で適宜変更可能である。
【符号の説明】
【００３４】
１０    フレーム体
１１    貫通孔
２０    主ローラー
２１    軸
３０    ガイドローラー
３１    軸
４０    調整ボルト（姿勢調整部材）
４１    先端部
５０    棒状部材
Ｒ      レール
Ｂ      底部（レールの底部）
Ｂ１    上面（底部の上面）
Ｂ２    端面（底部の端面）
Ｍ      ＰＣ枕木
Ｋ      ショルダ
Ｈ      クリップ挿入穴
Ｔ      継目板
【図１】
2019011656.tif 000003
【図２】
2019011656.tif 000004
【図３】
2019011656.tif 000005